(57)【要約】
【課題】
　簡便な構成でありながら、紙葉類の形状不良を良好に検査することができる紙葉形状検査装置を提供する。
【解決手段】
　紙葉６０は、その短辺の全体がガイド面４２に当接するように、紙葉６０の長辺の端部がガイド面４４に当接するように、テーブル１２上で位置決めされる。この状態で、ラインセンサが駆動されると、レーザ光は、紙葉６０によって遮られるものを除いて、窓３６を通過し、受光部３４に入射する。そして、この受光部３４の出力信号に基づいて測定が行われる。このとき、当接ガイド４０のガイド面４２とガイド面４４の長さの関係が逆であると、紙葉の長辺側がガイド面に沿うようになり、窓３６上における紙葉長辺位置が、良品・不良品のいずれであってもほぼ同じ位置となってしまうが、本考案では良好に形状不良の検査を行うことができる。
【選択図】図１
0003099409.tif 000002
【実用新案登録請求の範囲】
【請求項１】
　予め形状が規格化されている硬質の紙葉の形状を検査する紙葉形状検査装置であって、
　検査対象の紙葉の短辺側に長く当接し、長辺側に短く当接する略Ｌ字形状の当接ガイドをテーブル上に設け、
　該当接ガイドに紙葉を当接させたときの長辺側の端縁を測定する位置にラインセンサを設けたことを特徴とする紙葉形状検査装置。
【請求項２】
　規格に合致した紙葉を前記当接ガイドに当接したときの紙葉周縁の位置を示す規格ラインを、前記テーブル上に設けたことを特徴とする請求項１記載の紙葉形状検査装置。
【請求項３】
　前記テーブルを傾斜して形成し、該傾斜の下側に前記当接ガイドを設けたことを特徴とする請求項１又は２記載の紙葉形状検査装置。
【請求項４】
　前記ラインセンサの出力信号に基づいて、紙葉が規格の許容範囲内かどうかの測定を行う測定器を設けたことを特徴とする請求項１〜３のいずれかに記載の紙葉形状検査装置。
【請求項５】
　前記当接ガイドの当接面に測定対象の紙葉を当接させたことを前記測定器に知らせるための検査スイッチを設けたことを特徴とする請求項４記載の紙葉形状検査装置。
【請求項６】
　予め形状が規格化されている硬質の紙葉の形状を検査する紙葉形状検査装置であって、
　傾斜したテーブルの下側に設けられており、検査対象の紙葉の短辺側に長く当接し、長辺側に短く当接する略Ｌ字形状の当接ガイド，
　前記テーブル上に設けられており、規格に合致した紙葉を前記当接ガイドに当接したときの紙葉周縁の位置を示す規格ライン，
　前記当接ガイドに紙葉を当接させたときの長辺側の端縁を測定する位置に設けられたラインセンサ，
　前記ラインセンサの出力信号に基づいて、紙葉が規格の許容範囲内かどうかの測定を行う測定器，
　前記当接ガイドの当接面に測定対象の紙葉を当接させたことを前記測定器に知らせるための検査スイッチ，
を備えたことを特徴とする紙葉形状検査装置。
【考案の詳細な説明】
【技術分野】
【０００１】
　本考案は、ラインセンサを利用した紙葉類の形状検査装置に関し、更に具体的には、名刺やハガキなどの硬質の紙葉類に好適な形状検査装置の改良に関するものである。
【背景技術】
【０００２】
　従来の紙葉類の検査装置としては、例えば下記特許文献に開示されたものがある。まず、特許文献１には、紙葉に生じた折れ曲がりを検知し、紙葉の長さに関係なく横ずれを検知することを目的とした紙葉類の折れ曲がり検知装置が記載されている。これによれば、紙葉の搬送方向に垂直な幅方向に伸びるラインセンサが設けられ、その出力電圧を基準電圧と比較することで、折れ曲がりの発生が検知される。特許文献２には、紙片の伸縮度を高精度に測定することを目的とした紙の伸縮度測定装置が記載されている。これによれば、円形試料テーブル上に透光窓が設けられ、この透光窓をレーザ光束が通過するように設定される。そして、紙片が前記レーザ光束を遮ることにより、紙片の幅の伸縮度が測定される。
【特許文献１】特開平８−１１３３９１号公報
【特許文献２】特開平８−５０００８号公報
【考案の開示】
【考案が解決しようとする課題】
【０００３】
　ところで、名刺やハガキなどの比較的硬質の紙葉類を、ロール紙から裁断して得る場合、上述した折れ曲がりや伸縮度よりも、形状不良，特に長方形からのずれである台形状（菱形も含む）の有無が重要である。これは、比較的硬い紙を使用しているため、折れ曲がりや伸縮の発生がさほど問題とならないのに対し、裁断がむしろ困難なため、台形状の形状不良が発生する恐れがあるためである。従来、このような形状不良の検査は、直角定規に検査対象の紙葉を当てることで行っていたが、検査効率が悪く、検査精度も良好とはいえない。
【０００４】
　本考案は、以上の点に着目したもので、その目的は、簡便な構成でありながら、紙葉類の形状不良を良好に検査することができる紙葉形状検査装置を提供することを、その目的とする。
【課題を解決するための手段】
【０００５】
　前記目的を達成するため、本考案は、予め形状が規格化されている比較的硬質の紙葉の形状を検査する紙葉形状検査装置であって、検査対象の紙葉の短辺側に長く当接し、長辺側に短く当接する略Ｌ字形状の当接ガイドをテーブル上に設け、該当接ガイドに紙葉を当接させたときの長辺側の端縁を測定する位置にラインセンサを設けたことを特徴とする。
【０００６】
　主要な形態の一つは、規格に合致した紙葉を前記当接ガイドに当接したときの紙葉周縁の位置を示す規格ラインを、前記テーブル上に設けたことを特徴とする。他の形態は、前記テーブルを傾斜して形成し、該傾斜の下側に前記当接ガイドを設けたことを特徴とする。更に他の形態は、前記ラインセンサの出力信号に基づいて、紙葉が規格の許容範囲内かどうかの測定を行う測定器を備えたことを特徴とする。更に他の形態は、前記当接ガイドの当接面に測定対象の紙葉を当接させたことを前記測定器に知らせるための検査スイッチを設けたことを特徴とする。本考案の前記及び他の目的，特徴，利点は、以下の詳細な説明及び添付図面から明瞭になろう。
【考案の効果】
【０００７】
　本考案は、検査対象の紙葉の短辺側に長く当接し、長辺側に短く当接する略Ｌ字形状の当接ガイドをテーブル上に設け、これに紙葉を当接して検査を行うので、紙葉の形状不良を良好に検査することができる。
【考案を実施するための最良の形態】
【０００８】
　以下、本考案を実施するための最良の形態を、実施例に基づいて詳細に説明する。
【実施例１】
【０００９】
　図１(A)には、本実施例の外観が示されている。同図(A)の＃１−＃１線に沿って矢印方向に見た断面が同図(B)に示されている。これらの図において、装置本体１０の上面には、傾斜したテーブル１２が設けられている。テーブル１２の傾斜上側には測定器２０が設けられており、テーブル１２の側面にはラインセンサ３０が設けられている。また、アーム３２が傾斜面と直交する方向に設けられており、このアーム３２の先端には受光部３４が設けられている。そして、この受光部３４に入射するレーザ光束の長孔形状の透光用の窓３６がテーブル１２上に設けられている。テーブル１２の傾斜下側には、Ｌ字状の当接ガイド４０が設けられている。更に、テーブル１２上には、名刺の寸法規格に合致する規格ラインＬＭと、ハガキの寸法規格に合致する規格ラインＬＨがそれぞれ形成されている。
【００１０】
　以上の各部について詳述すると、測定器２０は、操作・表示部２１を備えている。この操作・表示部２１には、キー電源スイッチ２２，電源ランプ（図示せず），調整スイッチ２３，検査スイッチ２４，警告ブザー２５，測定値表示パネル２６が設けられている。これらのうち、キー電源スイッチ２２は、所定のキー（鍵）を使用することで、電源が「ＯＮ」になる構成となっている。調整スイッチ２３は、ラインセンサ３０における光軸や光量の調整を行うためのスイッチである。検査スイッチ２４は、検査を行うときに押すスイッチである。警告ブザー２５は、不良品の場合に鳴動して、その旨を知らせるためのブザーである。測定値表示パネル２６は、形状の測定結果を数値として表示するためのもので、良品の場合は緑色で、不良品の場合は赤色で測定した数値を表示する機能を備えている。このような操作・表示部２１は、測定回路２８に接続されている。
【００１１】
　次に、ラインセンサ３０について説明すると、装置本体１０内であって、上述した受光部３４と対向する位置には、発光部３８が設けられている。発光部３８は、テーブル１２の傾斜方向（矢印ＦＡ方向）と直交する方向（矢印ＦＢ方向）にライン状のレーザ光を出力する機能を備えている。発光部３８は、測定回路２８に接続されている。そして、キー電源スイッチ２２が「ＯＮ」となったときに駆動されて発光部３８からレーザ光が出力される構成となっている。
【００１２】
　一方、受光部３４は、１次元のＣＣＤによって構成され、入射するライン状のレーザ光を受光して電気信号に変換する機能を備えており、電気信号は測定回路２８に供給されている。ライン状のレーザ光は、名刺などの検査対象がテーブル１２上にないときは、全体が窓３６から受光部３４に入射する。しかし、検査対象があると、レーザ光の一部が遮られるようになる。全ラインのどの部分が遮られたかは、前記受光部３４から出力される電気信号によって測定回路２８で判別され、数値化されて前記測定値表示パネル２６に表示されるようになっている。
【００１３】
　例えば、規格ラインＬＭ（あるいはＬＨ）を基準とし、図３(A)のように規格ラインＬＭよりも紙葉６０Ａが小さいときは「−○○mm」，図３(B)のように規格ラインＬＭよりも紙葉６０Ｂが大きいときは「＋○○mm」という具合にデジタル的に表示が行われる。
【００１４】
　以上のようなラインセンサ３０，測定回路２８，操作・表示部２１としては、各種のものが市販されており、それらを使用してよい。なお、図１中、ＰＣ（パソコン）８０及びプリンタ８２については後述する。
【００１５】
　次に、当接ガイド４０は、直交する２つのガイド面４２，４４を備えている。ガイド面４２は、テーブル１２の傾斜方向に直交する方向となっており、ガイド面４４は、テーブル１２の傾斜面方向となっている。そして、ガイド面４２は、ハガキの短辺側と同程度もしくはそれ以上の長さとなっている。なお、名刺のみを測定対象とするときは、ガイド面４２は、名刺の短辺側と同程度もしくはそれ以上の長さとする。一方、ガイド面４４は、名刺もしくはハガキの長編側の一部のみに当接する長さとなっており、例えば、５〜１０ミリ程度に設定される。
【００１６】
　装置本体１０内には、上述した測定回路２８，ラインセンサ３０の発光部３８，電源回路５０，シーケンサ５２，ブレーカ（漏電遮断器）５４がそれぞれ設けられている。これらのうち、電源回路５０は、商用電源から本装置で必要とする直流電圧を得るためのもので、例えばチョッパ型の電源が使用される。シーケンサ５２は、測定値の許容範囲ないしエラー有無の判断の基準となる範囲を入力・保存するためのものである。ブレーカ５４は、過電流から本装置を保護するための装置である。
【００１７】
　次に、本実施例の全体動作を説明する。検査を開始するとき、検査担当者は、まずキー電源スイッチ２２にキーを差し込む。すると、電源が「ＯＮ」となり、電源回路５０から各部に電力が供給され、電源ランプが点灯するとともに、検査可能な状態となる。このとき、ラインセンサ３０の発光部３８からレーザ光が出力され、窓３６を通過し、受光部３４に入射する。受光部３４では、入射レーザ光に対応する電気信号が測定回路２８に出力される。検査担当者は、操作・表示部２１の調整スイッチ２３を操作して、受光部３４と発光部３８の光軸や光量の調整を行う。
【００１８】
　次に、検査担当者は、図２(A)に示すように、短辺が下向きとなるように、検査対象の紙葉６０をテーブル１２上に置くとともに、矢印Ｆ１方向に位置をずらす。すると、紙葉６０の短辺が、当接ガイド４０のガイド面４２に接するようになる。上述したように、テーブル１２が傾斜しており、傾斜下側に当接ガイド４０が設けられているため、それらの動作は、極めてスムーズに行われる。
【００１９】
　紙葉６０は、その短辺の全体がガイド面４２に当接するように、位置決めされる。そして、図２(B)に示すように、検査担当者は、矢印Ｆ２方向，すなわち、当接ガイド４０のガイド面４４の方向に紙葉６０をずらす。すると、紙葉６０の長辺の端部がガイド面４４に当接するようになる。図２(C)には、その様子が示されている。ここで、紙葉６０の裁断形状が仮に名刺の規格と一致しているとすると、名刺の規格ラインＬＭと紙葉６０の周縁が一致する。
【００２０】
　しかし、裁断形状が台形状であると、例えば図３に実線で示すようになる。図３(A)に示す紙葉６０Ａは、その長辺側が、窓３６上において規格ラインＬＭから内側に変形している。図３(B)に示す紙葉６０Ｂは、その長辺側が、窓３６上において規格ラインＬＭから外側に変形している。
【００２１】
　検査担当者は、最初に、目視で紙葉６０の周縁と規格ラインＬＭを比較し、寸法を確認する。一方、上述したように、ラインセンサ３０の発光部３８から出力されたライン状のレーザ光は、紙葉６０によって遮られるものを除いて、窓３６を通過し、受光部３４に入射する。受光部３４は、入射レーザ光に対応する電気信号を測定回路２８に出力する。測定回路２８は、シーケンサ５２のデータを参照し、受光部３４からの入力信号から規格値からのずれを測定する。すなわち、所定の許容範囲内にあるかどうかをチェックする。その結果、許容範囲内であると判定された場合は、例えば緑色で、測定値を表示パネル２６に出力しデジタル表示する。しかし、測定値が許容範囲外であると判定されたときは、例えば赤色で測定値を表示パネル２６に表示する。
【００２２】
　このように、ラインセンサ３０は動作しているので、自動的に測定が行われて結果が表示される。しかし、本実施例では、より確実に精度よく検査を行うため、検査担当者が紙葉６０を当接ガイド４０の両面４２，４４に当接させて検査可能な状態となったところで、検査スイッチ２４を押す。このような操作を行うことで、紙葉６０の位置が不適切な状態で検査が行われてしまうという不都合が回避される。別言すれば、検査スイッチ２４は、検査対象の紙葉６０が、当接ガイド４０に適切に当接したことを装置側に知らせるためのスイッチであると考えることができる。
【００２３】
　検査担当者が検査スイッチ２４を押すと、発光部３８からのレーザ光による測定結果が再認識されて測定結果が確定する。すなわち、測定回路２８は、その時点において表示パネル２６に表示されている測定値を、テーブル１２上の紙葉６０の測定値として確認するとともに、その値が所定の許容範囲外であるときは警告ブザー２５を鳴動する。
【００２４】
　ところで、上述したように、当接ガイド４０のガイド面４２とガイド面４４の長さの関係が逆であったとすると、図４に示すような不都合が生ずる。同図に示す当接ガイド７０は、紙葉短辺側のガイド面７２よりも長辺側のガイド面７４のほうが長く設定されている。この場合、検査担当者は、できる限り当接ガイド７０に当接するように紙葉６１Ａ，６１Ｂをテーブル１２上でスライドさせようとする。このため、紙葉６１Ａ，６１Ｂの長辺側が主体的にガイド面７４に接するようになり、短辺側とガイド面７２との間に隙間７６Ａ，７６Ｂが形成されるようになる。図４(A)は、ガイド面７２の右側に隙間７６Ａが形成された場合であり、図４(B)は、ガイド面７２の左側に隙間７６Ｂが形成された場合である。
【００２５】
　このように、紙葉長辺側がガイド面７４に沿うようになると、窓３６上における紙葉長辺位置が、良品・不良品のいずれであってもほぼ同じ位置となり、結果的に形状不良を見過ごしてしまうことになる。本実施例では、このような不都合が生ずることなく、良好に形状不良の検査を行うことができる。
【００２６】
　なお、本考案は、上述した実施例に限定されるものではなく、本考案の要旨を逸脱しない範囲内において種々変更を加え得ることができる。例えば、以下のものも含まれる。
(1)前記実施例では、名刺やハガキの形状不良を検査する場合を説明したが、各種の紙葉類の形状検査に適用可能である。また、名刺専用，ハガキ専用の装置構成としてもよい。
(2)前記実施例では、形状不良とともに、測定値も表示することとしたが、いずれか一方のみを表示するようにしてもよい。
(3)前記実施例では、目視で紙葉６０の周縁と規格ラインＬＭ，ＬＨを比較して寸法を確認したが、この作業の精度を高めるため、規格ラインＬＭ，ＬＨを装置本体１０の内側から照明する，あるいはテーブル１２の全体を装置本体１０の内側から照明するなどの方法で、検査担当者が規格ラインＬＭ，ＬＨを視認しやすくするよいにしてもよい。
【００２７】
　(4)レーザ光が透過する窓３６は、検査対象の紙葉の端側に設けたほうが検査精度を高めることができる。そこで、窓３６を、名刺用とはがき用の２つ設け、ラインセンサ３０をスライド可能な構造とする，あるいは光学素子を利用してレーザ光が二つの窓を透過できるように切換え可能な構造とすることで、紙葉類の大きさに応じた精度の高い検査を行うことが可能となる。
(5)前記実施例では、ライン状のレーザ光を一箇所でのみ紙葉に照射したが、複数箇所で照射することで、測定精度を上げるようにしてもよい。
(6)測定器２０をＰＣ（パソコン）８０に接続し、前記検査スイッチ２４の操作とともに測定値をＰＣ８０に取り込むようにしてもよい。これにより、測定作業の記録や、測定値に対する統計処理などを行うことができる。また、測定器２０もしくはＰＣ８０にプリンタ８２を接続し、測定値をプリントアウトするようにしてもよい。
【産業上の利用可能性】
【００２８】
　本考案によれば、ラインセンサを利用して紙葉の端縁を測定する際に、紙葉の短辺側に長く長辺側に短いガイドを利用するので、名刺やハガキなどのような比較的硬質の紙葉類の形状検査に好適である。
【図面の簡単な説明】
【００２９】
【図１】(A)は本発明の一実施例における装置外観を示す斜視図、(B)は図１の＃１−＃１線に沿って矢印方向に見た断面図である。
【図２】検査時におけるテーブル上の紙葉のスライド方向を示す説明図である。
【図３】紙葉の形状例とテーブル上における紙葉の位置との関係を示す説明図である。
【図４】当接ガイドの当接面の長さが本実施例と逆の関係となった場合における紙葉の位置関係を示す説明図である。
【符号の説明】
【００３０】
１０：装置本体
１２：テーブル
２０：測定器
２１：操作・表示部
２２：キー電源スイッチ
２３：調整スイッチ
２４：検査スイッチ
２５：警告ブザー
２６：表示パネル
２８：測定回路
３０：ラインセンサ
３２：アーム
３４：受光部
３６：窓
３８：発光部
４０：当接ガイド
４２，４４：ガイド面
５０：電源回路
５２：シーケンサ
５４：ブレーカ
６０，６０Ａ，６０Ｂ，６１Ａ，６１Ｂ：紙葉
７０：当接ガイド
７２，７４：ガイド面
７６Ａ，７６Ｂ：隙間
８０：ＰＣ
８２：プリンタ
ＬＭ，ＬＨ：規格ライン
【図１】
0003099409.tif 000003
【図２】
0003099409.tif 000004
【図３】
0003099409.tif 000005
【図４】
0003099409.tif 000006